(57)【特許請求の範囲】
【請求項１】
画像を撮像する撮像手段と、
音声を入力する音声入力手段と、
前記撮像手段により撮像された前記画像と、前記音声入力手段により入力された前記画像に対応する前記音声とを関連づけて記憶する記憶手段と、
前記記憶手段に記憶された前記画像を再生する画像再生手段と、
前記記憶手段に記憶された前記音声を再生する音声再生手段と、
前記画像再生手段により再生される前記画像を選択する選択手段と、
前記選択手段により所定の前記画像が選択されると、前記音声再生手段が所定の前記画像に関連づけられた所定の前記音声を再生し、前記音声再生手段が所定の前記音声を再生中に、前記選択手段により所定の前記画像とは異なる他の前記画像が選択された場合においても、前記音声再生手段が所定の前記音声の再生を継続するように制御する制御手段と
を備えることを特徴とする情報入力装置。
【請求項２】
前記制御手段は、前記音声再生手段が所定の前記画像に関連づけられた所定の前記音声の再生を終了してから、他の前記画像に関連づけられた他の前記音声の再生を開始するように制御する
ことを特徴とする請求項１に記載の情報入力装置。
【請求項３】
前記制御手段は、前記選択手段により所定の前記画像とは異なる他の前記画像が選択されたとき、前記画像再生手段が、所定の前記画像から他の前記画像に切り替えて表示するように制御する
ことを特徴とする請求項１に記載の情報入力装置。
【請求項４】
画像を撮像する撮像手段と、
音声を入力する音声入力手段と、
前記撮像手段により撮像された前記画像と、前記音声入力手段により入力された前記画像に対応する前記音声とを関連づけて記憶する記憶手段と、
前記記憶手段に記憶された前記画像を再生する画像再生手段と、
前記記憶手段に記憶された前記音声を再生する音声再生手段と、
前記画像再生手段により再生される前記画像を選択する選択手段と、
前記音声再生手段が前記記憶手段に記憶された前記音声を再生する方法を規定する第１のモードと、第２のモードのいずれか一方を選択するモード選択手段と、
前記モード選択手段により前記第１のモードが選択された場合、前記選択手段により所定の前記画像が選択されると、前記音声再生手段が所定の前記画像に関連づけられた所定の前記音声を再生し、前記音声再生手段が所定の前記音声を再生中に、前記選択手段により所定の前記画像とは異なる他の前記画像が選択されたときにおいても、前記音声再生手段が所定の前記音声の再生を継続し、前記モード選択手段により前記第２のモードが選択された場合、前記選択手段により所定の前記画像が選択されると、前記音声再生手段が所定の前記画像に関連づけられた所定の前記音声を再生し、前記音声再生手段が所定の前記音声を再生中に、前記選択手段により所定の前記画像とは異なる他の前記画像が選択されたとき、前記音声再生手段が所定の前記音声の再生を中断するように制御する制御手段と
を備えることを特徴とする情報入力装置。
【請求項５】
前記制御手段は、前記モード選択手段により前記第１のモードが選択された場合において、前記選択手段により所定の前記画像とは異なる他の前記画像が選択されたとき、前記音声再生手段が所定の前記画像に関連づけられた所定の前記音声の再生を終了してから、他の前記画像に関連づけられた他の前記音声の再生を開始するように制御する
ことを特徴とする請求項４に記載の情報入力装置。
【請求項６】
前記制御手段は、前記モード選択手段により前記第２のモードが選択された場合において、前記選択手段により所定の前記画像とは異なる他の前記画像が選択されたとき、前記音声再生手段が所定の前記画像に関連づけられた所定の前記音声の再生を中断し、他の前記画像に関連づけられた他の前記音声の再生を開始するように制御する
ことを特徴とする請求項４に記載の情報入力装置。
【請求項７】
前記制御手段は、前記選択手段により所定の前記画像とは異なる他の前記画像が選択されたとき、前記画像再生手段が、所定の前記画像から他の前記画像に切り替えて表示するように制御する
ことを特徴とする請求項４に記載の情報入力装置。
【請求項８】
前記撮像手段により撮像された前記画像、および前記画像再生手段により再生された前記画像を表示する表示手段と、
前記音声入力手段により入力された前記音声、および前記音声再生手段により再生された前記音声を出力する音声出力手段と
をさらに備えることを特徴とする請求項１乃至７のうちのいずれかに記載の情報入力装置。
【請求項９】
前記被写体に照明光を照射する照明手段
をさらに備えることを特徴とする請求項１乃至８のうちのいずれかに記載の情報入力装置。
【発明の詳細な説明】
【０００１】
【発明の属する技術分野】
本発明は、情報入力装置に関し、例えば、被写体の画像をディジタルデータに変換して記録する電子カメラ等に用いて好適な情報入力装置に関する。
【０００２】
【従来の技術】
近年、フィルムを使用したカメラに代わって、ＣＣＤ等を用いて被写体の画像を撮影し、それをディジタルのデータに変換して内蔵するＩＣ等のメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤ等の画面に表示することができる。
【０００３】
また、撮影した画像をディジタルのデータにして記録するため、パーソナルコンピュータとの相性もよく、その入力装置としても用いられるようになってきている。例えば、インターネットのホームページを作成する場合において、画像データを入力するためのツールとして用いられる場合がある。
【０００４】
【発明が解決しようとする課題】
このような電子カメラに、撮影した被写体の画像とともに、その画像に関連した音声も記録することができる機能を付加し、画像を再生すると、それに関連した音声が出力されるようにすることが考えられる。
【０００５】
しかしながら、画像は即座に表示することができるが、音声は所定の時間だけ継続して出力しなければならないため、所定の画像に対応する音声が出力されているときに、他の画像に表示が切り替えられた場合などにおける音声の処理方法を、予め決めておく必要がある課題があった。
【０００６】
本発明はこのような状況に鑑みてなされたものであり、表示画像を切り替えた場合における音声の出力方法をいくつか用意し、ユーザが選択することができるようにするものである。
【０００７】
【課題を解決するための手段】
請求項１に記載の情報入力装置は、画像を撮像する撮像手段（例えば、図１の撮影レンズ３、および図３のＣＣＤ２０）と、音声を入力する音声入力手段（例えば、図１のマイクロホン８）と、撮像手段により撮像された画像と、音声入力手段により入力された画像に対応する音声とを関連づけて記憶する記憶手段（例えば、図３のメモリカード２４）と、記憶手段に記憶された画像を再生する画像再生手段（例えば、図４の圧縮伸張メモリコントロール回路（ｃｏｍｐ／ｄｃｏｍｐ／ＭＣ）３８）と、記憶手段に記憶された音声を再生する音声再生手段（例えば、図４の音声ＩＣ３６）と、画像再生手段により再生される画像を選択する選択手段（例えば、図１のタッチタブレット６Ａ、および図４のペン６Ｂ）と、選択手段により所定の画像が選択されると、音声再生手段が所定の画像に関連づけられた所定の音声を再生し、音声再生手段が所定の音声を再生中に、選択手段により所定の画像とは異なる他の画像が選択された場合においても、音声再生手段が所定の音声の再生を継続するように制御する制御手段（例えば、図４のＣＰＵ３４）とを備えることを特徴とする。
【０００８】
また、制御手段は、音声再生手段が所定の画像に関連づけられた所定の音声の再生を終了してから、他の画像に関連づけられた他の音声の再生を開始するように制御するようにすることができる。
【０００９】
また、制御手段は、選択手段により所定の画像とは異なる他の画像が選択されたとき、画像再生手段が、所定の画像から他の画像に切り替えて表示するように制御するようにすることができる。
【００１０】
請求項４に記載の情報入力装置は、画像を撮像する撮像手段（例えば、図１の撮影レンズ３、および図３のＣＣＤ２０）と、音声を入力する音声入力手段（例えば、図１のマイクロホン８）と、撮像手段により撮像された画像と、音声入力手段により入力された画像に対応する音声とを関連づけて記憶する記憶手段（例えば、図３のメモリカード２４）と、記憶手段に記憶された画像を再生する画像再生手段（例えば、図４の圧縮伸張メモリコントロール回路（ｃｏｍｐ／ｄｃｏｍｐ／ＭＣ）３８）と、記憶手段に記憶された音声を再生する音声再生手段（例えば、図４の音声ＩＣ３６）と、画像再生手段により再生される画像を選択する選択手段（例えば、図１のタッチタブレット６Ａ、および図４のペン６Ｂ）と、音声再生手段が記憶手段に記憶された音声を再生する方法を規定する第１のモードと、第２のモードのいずれか一方を選択するモード選択手段（例えば、図１のタッチタブレット６Ａ、および図４のペン６Ｂ）と、モード選択手段により第１のモードが選択された場合、選択手段により所定の画像が選択されると、音声再生手段が所定の画像に関連づけられた所定の音声を再生し、音声再生手段が所定の音声を再生中に、選択手段により所定の画像とは異なる他の画像が選択されたときにおいても、音声再生手段が所定の音声の再生を継続し、モード選択手段により第２のモードが選択された場合、選択手段により所定の画像が選択されると、音声再生手段が所定の画像に関連づけられた所定の音声を再生し、音声再生手段が所定の音声を再生中に、選択手段により所定の画像とは異なる他の画像が選択されたとき、音声再生手段が所定の音声の再生を中断するように制御する制御手段（例えば、図４のＣＰＵ３４）とを備えることを特徴とする。
【００１１】
また、制御手段は、モード選択手段により第１のモードが選択された場合において、選択手段により所定の画像とは異なる他の画像が選択されたとき、音声再生手段が所定の画像に関連づけられた所定の音声の再生を終了してから、他の画像に関連づけられた他の音声の再生を開始するように制御するようにすることができる。
【００１２】
また、制御手段は、モード選択手段により第２のモードが選択された場合において、選択手段により所定の画像とは異なる他の画像が選択されたとき、音声再生手段が所定の画像に関連づけられた所定の音声の再生を中断し、他の画像に関連づけられた他の音声の再生を開始するように制御するようにすることができる。
【００１３】
また、制御手段は、選択手段により所定の画像とは異なる他の画像が選択されたとき、画像再生手段が、所定の画像から他の画像に切り替えて表示するように制御するようにすることができる。
【００１４】
また、撮像手段により撮像された画像、および画像再生手段により再生された画像を表示する表示手段（例えば、図２のＬＣＤ６）と、音声入力手段により入力された音声、および音声再生手段により再生された音声を出力する音声出力手段（例えば、図２のスピーカ５、およびイヤホンジャック９）とをさらに設けるようにすることができる。
【００１５】
さらに、被写体に照明光を照射する照明手段（例えば、図１の発光部（ストロボ）４）をさらに設けるようにすることができる。
【００１６】
請求項１に記載の情報入力装置においては、制御手段の制御によって、選択手段により所定の画像が選択されると、音声再生手段が所定の画像に関連づけられた所定の音声を再生し、音声再生手段が所定の音声を再生中に、選択手段により所定の画像とは異なる他の画像が選択された場合においても、音声再生手段が所定の音声の再生を継続する。従って、所定の画像に関連した音声を途切れることなく再生させることができる。
【００１７】
請求項４に記載の情報入力装置においては、制御手段の制御によって、モード選択手段により第１のモードが選択された場合、選択手段により所定の画像が選択されると、音声再生手段が所定の画像に関連づけられた所定の音声を再生し、音声再生手段が所定の音声を再生中に、選択手段により所定の画像とは異なる他の画像が選択されたときにおいても、音声再生手段が所定の音声の再生を継続し、モード選択手段により第２のモードが選択された場合、選択手段により所定の画像が選択されると、音声再生手段が所定の画像に関連づけられた所定の音声を再生し、音声再生手段が所定の音声を再生中に、選択手段により所定の画像とは異なる他の画像が選択されたとき、音声再生手段が所定の音声の再生を中断する。従って、音声の再生方法を選択することができる。
【００１８】
【発明の実施の形態】
図１および図２は、本発明を適用した電子カメラの一実施例の構成を示す斜視図である。説明の便宜上、被写体を撮影する場合において、電子カメラ１を構成する６つの面のうち、被写体に向けられる面を面Ｘ１とし、ユーザ側に向けられる面を面Ｘ２とする。面Ｘ１の上端部には、被写体の撮影範囲の確認に用いられるファインダ２、被写体の光画像を取り込む撮影レンズ３、および被写体を照明する光を発光する発光部（ストロボ）４が設けられている。
【００１９】
一方、面Ｘ１に対向する面Ｘ２の上端部（面Ｘ１のファインダ２、撮影レンズ３、および発光部４が形成されている上端部に対応する位置）には、上記ファインダ２、およびスピーカ５が設けられ、スピーカ５は、電子カメラ１が内蔵するメモリカード等に記録されている音声データに対応する音声を出力するようになされている。また、面Ｘ２上に形成されているＬＣＤ６および操作キー７は、ファインダ２、撮影レンズ３、発光部４、およびスピーカ５よりも、鉛直下側に形成されている。また、ＬＣＤ６の表面上には、所定のペン型指示装置（以下、適宜ペンと略記する）６Ｂの接触操作によって指示された位置に対応する位置データを出力する、いわゆるタッチタブレット６Ａが形成されている。
【００２０】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができるようになっている。
【００２１】
操作キー７は、後述するように各種の機能に対応した複数のキーによって構成されており、ペン型指示装置６Ｂにより操作され、後述するメモリカード等に記録した画像データ、音声データ、あるいはテキストデータ等の記録データを再生し、ＬＣＤ６に表示する場合などに用いられる。例えば、メニューキー７Ａは、ＬＣＤ６上にメニュー画面を表示させるとき、操作される。実行キー７Ｂは、ユーザによって選択された記録データを再生するとき、操作される。
【００２２】
また、クリアキー７Ｃは、記録データを削除するとき、操作される。キャンセルキー７Ｄは、記録データの再生処理を中断するとき、操作される。スクロールキー７Ｅは、ＬＣＤ６に記録データの一覧が表示されている場合において、画面を上下方向にスクロールさせるとき、操作される。
【００２３】
この電子カメラ１の上面である面Ｚには、音声を集音するマイクロホン（マイク）８、および図示せぬイヤホンを接続するためのイヤホンジャック９が設けられている。
【００２４】
左側面（面Ｙ１）には、被写体を撮影するときに操作されるレリーズスイッチ１０、および電源のオン／オフを切り替える電源スイッチ１１が設けられている。このレリーズスイッチ１０、および電源スイッチ１１は、面Ｘ１の上端部に設けられているファインダ２、撮影レンズ３、および発光部４よりも鉛直下側に配置されている。
【００２５】
一方、面Ｙ１に対向する面Ｙ２（右側面）には、音声を録音するときに操作される録音スイッチ１２と、撮影時の連写モードを切り換えるときに操作される連写モード切り換えスイッチ１３が設けられている。この録音スイッチ１２および連写モード切り換えスイッチ１３は、上記レリーズスイッチ１０および電源スイッチ１１の場合と同様に、面Ｘ１の上端部に設けられているファインダ２、撮影レンズ３、および発光部４よりも鉛直下側に配置されている。また、録音スイッチ１２は、面Ｙ１のレリーズスイッチ１０とほぼ同じ高さに配置されており、左右どちらの手で持っても、違和感がないようになっている。
【００２６】
なお、レリーズスイッチ１０の高さと、録音スイッチ１２の高さを、あえて異ならせるようにし、例えば、一方のスイッチだけを指で押した場合に、この押圧力によって発生するモーメントを打ち消すために、同時に反対側の側面を指で保持したとき、反対側の側面に設けられたスイッチを誤って押してしまわないようにすることができる。
【００２７】
上記連写モード切り換えスイッチ１３は、ユーザがレリーズスイッチ１０を押して被写体を撮影するとき、被写体を１コマだけ撮影するのか、または、所定の複数コマを連続して撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われる。
【００２８】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０が押されている間、１秒間に８コマの割合で撮影が行われる。すなわち、低速連写モードによる撮影が行われる。
【００２９】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０が押されている間、１秒間に３０コマの割合で撮影が行われる。すなわち、高速連写モードでの撮影が行われる。
【００３０】
次に、電子カメラ１の内部の構成について説明する。図３は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を対応する電気信号（画像信号）に光電変換して出力するようになされている。
【００３１】
ＬＣＤ６の鉛直下側には、例えば、円柱形状の４本のバッテリ（例えば単３の乾電池）２１が並べて配置されており、このバッテリ２１に蓄積されている電力が各部に供給される。また、発光部４が発光するとき必要とされる電荷を蓄積するコンデンサ２２が、バッテリ２１と並べて配置されている。
【００３２】
回路基板２３には、この電子カメラ１の各部を制御する、種々の制御回路が形成されている。また、回路基板２３と、ＬＣＤ６およびバッテリ２１の間には、挿抜可能なメモリカード（記録媒体）２４が設けられており、電子カメラ１に入力される各種の情報がメモリカード２４の予め設定された各領域に記録される。
【００３３】
なお、本実施例においては、メモリカード２４は挿抜可能とされているが、回路基板２３上にメモリを設け、そのメモリに各種情報を記録可能とするようにしてもよい。さらに、メモリカード（またはメモリ）２４に記録されている各種情報を、図示せぬインタフェースを介して外部のパーソナルコンピュータ等に出力させるようにすることも可能である。
【００３４】
次に、本実施例の電子カメラ１の内部の電気的構成例を、図４に示したブロック図を参照して説明する。複数の画素を備えているＣＣＤ２０は、各画素に結像した光画像を画像信号（電気信号）に光電変換するようになされている。ＣＣＤ駆動回路（ＶＤＲＶ）３９は、後述するディジタルシグナルプロセッサ（以下、ＤＳＰという）３３に制御され、ＣＣＤ２０を駆動するようになされている。
【００３５】
相関二重サンプリング回路（以下、ＣＤＳという）３１は、ＣＣＤ２０が光電変換した画像信号を所定のタイミングでサンプリングするようになされている。ＡＧＣ（自動利得制御回路）４０は、ＣＤＳ３１によりサンプリングされた信号の利得（ゲイン）を制御するようになされている。アナログ／ディジタル変換回路（以下、Ａ／Ｄ変換回路という）３２は、ＣＤＳ３１でサンプリングした画像信号をディジタル化してＤＳＰ３３に供給するようになされている。
【００３６】
ＤＳＰ３３は、ディジタル化された画像データをバッファメモリ３７に一旦供給し、記憶させる。圧縮伸張メモリコントロール回路（ｃｏｍｐ／ｄｃｏｍｐ／ＭＣ）３８は、バッファメモリ３７に記憶された画像データを読み出し、例えば、後述するＪＰＥＧ（Ｊｏｉｎｔ  Ｐｈｏｔｏｇｒａｐｈｉｃ  Ｅｘｐｅｒｔｓ  Ｇｒｏｕｐ）方式で圧縮した後、データバス４２を介してメモリカード２４に供給し、所定の領域（画像記録領域）に記録させるようになされている。
【００３７】
また、ＣＰＵ３４は、図示せぬ時計回路を内蔵しており、撮影した日時の情報を画像データのヘッダ情報として、メモリカード２４の画像記録領域に記録するようになされている。すなわち、メモリカード２４の画像記録領域に記録される画像データには、撮影日時のデータが付加される。
【００３８】
マイクロホン（マイク）８は音声を入力し、その音声に対応する音声信号を音声ＩＣ３６に供給するようになされている。音声ＩＣ３６は、供給された音声信号をディジタルの音声データに変換し、圧縮した後、メモリカード２４に供給し、所定の領域（音声記録領域）に記録させるようになされている。また、このとき、メモリカード２４の音声記録領域には、録音日時のデータが音声データのヘッダ情報として記録されるようになされている。
【００３９】
また、ストロボ（発光部）４は、ＣＰＵ３４により制御され、所定のタイミングで発光し、被写体に対して光を照射するようになされている。
【００４０】
ユーザが操作するペン型指示装置６Ｂによって、タッチタブレット６Ａの所定の位置が押圧されると、ＣＰＵ３４は、タッチタブレット６Ａの押圧された位置に対応するＸＹ座標を読み取り、その座標データ（後述する線画情報を構成する）を図示せぬ所定のメモリに蓄積するようになされている。また、ＣＰＵ３４は、メモリに蓄積した線画情報を、線画情報を入力した日時等のヘッダ情報とともに、メモリカード２４に供給し、線画情報記録領域に記録させるようになされている。
【００４１】
ＣＰＵ３４には、ＣＰＵ制御バス４１を介してバッファメモリ３７とＬＣＤ６が接続されており、バッファメモリ３７に記憶されている画像データに対応する画像をＬＣＤ６に表示することができるようになされている。但し、圧縮処理を受けた画像データは、一旦、圧縮伸張メモリコントロール回路３８に入力され、そこで伸長されてからデータバス４２を介してバッファメモリ３７に供給されるようになされている。
【００４２】
また、音声ＩＣ３６には、スピーカ５が接続されており、メモリカード２４より読み出された音声データは、音声ＩＣ３６によって伸張され、アナログの音声信号に変換された後、スピーカ５より出力されるようになされている。
【００４３】
また、操作スイッチ（ＳＷ）３５は、図１乃至図３におけるレリーズスイッチ１０、電源スイッチ１１、録音スイッチ１２、および連写モード切替スイッチ１３に対応しており、各スイッチが操作されると、対応する信号がＣＰＵ３４に供給されるようになされている。そして、ＣＰＵ３４は、各スイッチが操作されたとき、対応する所定の処理を実行するようになされている。
【００４４】
次に、その動作について説明する。最初に、上記実施例における音声の入出力処理について説明する。図１に示す電源スイッチ１１が「ＯＮ」と印刷されている側に切り換えられ、電子カメラ１に電源が投入され、面Ｙ２に設けられている録音スイッチ１２が押されると、録音処理（音声の入力とその記録を行う処理）が開始される。即ち、マイクロホン８を介して入力された音声は、音声ＩＣ３６によって、ディジタルの音声データに変換され、圧縮処理が施された後、メモリカード２４に供給され、メモリカード２４の音声記録領域に記録される。このとき、メモリカード２４の音声記録領域には、録音日時等のデータが、圧縮された音声データのヘッダ情報として記録される。このような動作が、録音スイッチ１２を押圧している間、繰り返し実行される。
【００４５】
なお、音声の圧縮方法としては、ＰＣＭ（Ｐｕｌｓｅ  Ｃｏｄｅ  Ｍｏｄｕｌａｔｉｏｎ）方式、その他の方法を用いることができる。
【００４６】
次に、被写体を撮影する場合の動作について説明する。最初に、面Ｙ２に設けられている連写モード切り換えスイッチ１３が、Ｓモード（１コマだけ撮影を行うモード）に切り換えられている場合について説明する。まず、図１に示したように、面Ｙ１側に設けられた電源スイッチ１１を「ＯＮ」と印刷されている側に切り換えて、電子カメラ１に電源を投入する。ファインダ２で被写体を確認し、面Ｙ１に設けられているレリーズスイッチ１０を押すと、被写体の撮影処理が開始される。
【００４７】
ファインダ２で観察される被写体の光画像が撮影レンズ３によって集光され、複数の画素を備えるＣＣＤ２０に結像する。ＣＣＤ２０に結像した被写体の光画像は、各画素において画像信号に光電変換され、ＣＤＳ３１によってサンプリングされる。ＣＤＳ３１によってサンプリングされた画像信号は、ＡＧＣ４０を介してゲインが制御された後、Ａ／Ｄ変換回路３２に供給され、そこでディジタル化されてＤＳＰ３３に供給される。
【００４８】
ＤＳＰ３３は、ディジタル化された画像データをバッファメモリ３７に一旦供給し、記憶させる。圧縮伸張メモリコントロール回路３８は、バッファメモリ３７から読み出した画像データを、離散的コサイン変換、量子化、およびハフマン符号化を組み合わせたＪＰＥＧ方式に従って圧縮する。圧縮伸張メモリコントロール回路３８は、圧縮した画像データをデータバス４２を介してメモリカード２４に供給する。メモリカード２４は、圧縮伸張メモリコントロール回路３８より供給された画像データを画像記録領域に記録する。このとき、メモリカード２４の画像記録領域には、撮影日時のデータが上記画像データのヘッダ情報として記録される。
【００４９】
なお、連写モード切り換えスイッチ１３がＳモードに切り換えられている場合においては、レリーズスイッチ１０が押される毎に、１コマの撮影だけが行われる。従って、レリーズスイッチ１０を押し、そのまま継続して押し続けても、１コマの撮影だけが行われる。また、レリーズスイッチ１０が所定の時間だけ継続して押され続けると、ＬＣＤ６上にいま撮影した画像が表示されるようになっている。
【００５０】
次に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００５１】
ファインダ２で観察される被写体からの光が撮影レンズ３によって集光され、複数の画素を備えるＣＣＤ２０上に結像する。ＣＣＤ２０に結像した被写体の光画像は、各画素において画像信号に光電変換され、ＣＤＳ３１によって１秒間に８回の割合でサンプリングされる。また、このとき、ＣＤＳ３１は、ＣＣＤ２０からの全画素に対応する画像電気信号のうち、その４分の３の画素に相当するものを間引く。
【００５２】
ＣＤＳ３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００５３】
ディジタル化された画像データは、ＤＳＰ３３によりバッファメモリ３７に一旦供給され、記憶される。バッファメモリ３７に記憶された画像データは、圧縮伸張メモリコントロール回路３８により読み出され、ＪＰＥＧ方式に従って圧縮される。圧縮伸張メモリコントロール回路３８において圧縮処理された画像データは、データバス４２を介してメモリカード２４に供給され、画像記録領域に記録される。このとき、メモリカード２４の画像記録領域には、撮影日時のデータが、上記画像データのヘッダ情報として記録される。
【００５４】
次に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、次のようにして、被写体の撮影処理が開始される。
【００５５】
ファインダ２で観察される被写体からの光が撮影レンズ３によって集光され、ＣＣＤ２０上に結像する。複数の画素を備えるＣＣＤ２０に結像した被写体の光画像は、各画素において画像信号に光電変換され、ＣＤＳ３１によって１秒間に３０回の割合でサンプリングされる。また、このとき、ＣＤＳ３１は、ＣＣＤ２０からの全画素に対応する画像電気信号のうち、その９分の８の画素に相当するものを間引く。
【００５６】
ＣＤＳ３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【００５７】
ＤＳＰ３３は、ディジタル化された画像データをバッファメモリ３７に一旦供給し、記憶させる。圧縮伸張メモリコントロール回路３８は、バッファメモリ３７より画像データを読み出し、ＪＰＥＧ方式に従って圧縮する。このようにして、ディジタル化および圧縮処理された画像データは、データバス４２を介してメモリカード２４に供給され、撮影日時のヘッダ情報とともに、メモリカード２４の画像記録領域に記録される。
【００５８】
なお、被写体の撮影時に、必要に応じてストロボ（発光部）４を動作させ、被写体に光を照射することもできる。
【００５９】
次に、タッチタブレット６Ａを用いて、２次元の情報（ペン入力情報）を入力する場合の動作について説明する。タッチタブレット６Ａにペン型指示装置６Ｂのペン先を接触させると、接触した箇所のＸＹ座標に対応するデータがＣＰＵ３４に入力される。このＸＹ座標に対応するデータは、ＣＰＵ３４に供給され、ＣＰＵ３４により、バッファメモリ３７の上記ＸＹ座標に対応する位置に、例えば、所定の大きさの点に対応する画像データが書き込まれ、ＣＰＵ３４の制御により、ＬＣＤ６上の対応する位置に所定の大きさの点が表示される。
【００６０】
上述したように、ＬＣＤ６の表面上に形成されているタッチタブレット６Ａは、透明部材によって構成されているので、ユーザは、ＬＣＤ６上の、ペン型指示装置６Ｂのペン先でタッチタブレット６Ａを押圧した位置に表示される点を観察することができ、あたかもＬＣＤ６上に直接ペン入力をしたかのように感じることができる。また、ペン型指示装置６Ｂをタッチタブレット６Ａに接触させながら移動させると、ＬＣＤ６上には、ペン型指示装置６Ｂが移動した軌跡に沿って線が表示される。さらに、ペン型指示装置６Ｂをタッチタブレット６Ａ上で断続的に移動させると、ＬＣＤ６上には、ペン型指示装置６Ｂの移動に伴って破線が表示される。以上のようにして、ユーザは、タッチタブレット６Ａ（ＬＣＤ６）を用いて、所望の文字、図形等の線画情報を入力することができる。
【００６１】
また、ＬＣＤ６上に画像が表示されている場合において、ペン型指示装置６Ｂによって例えば文字等の線画情報が入力されると、この線画情報が、画像情報とともにバッファメモリ３７で合成され、ＬＣＤ６上に同時に表示される。
【００６２】
なお、ユーザは、図示せぬ色選択スイッチを操作することにより、ＬＣＤ６上に表示される線画の色を、黒、白、赤、青等の複数の色から選択するようにすることができる。
【００６３】
ペン型指示装置６Ｂとタッチタブレット６Ａによる線画情報の入力後、操作キー７の実行キー７Ｂが押されると、所定のメモリに蓄積されている線画情報が、入力日時のヘッダ情報とともにＣＰＵ制御バス４１を介してメモリカード２４に供給され、メモリカード２４の線画情報記録領域に記録される。
【００６４】
なお、メモリカード２４に記録される線画情報は、圧縮処理が施された情報である。タッチタブレット６Ａに入力された線画情報は空間周波数成分の高い情報を多く含んでいるので、上記画像の圧縮に用いられるＪＰＥＧ方式によって圧縮処理を行うと、圧縮効率が悪く、情報量があまり少なくならない。また、ＪＰＥＧ方式による圧縮は、非可逆圧縮であるので、情報量の少ない線画情報の圧縮には適していない。これは、伸長してＬＣＤ６上に表示した場合、情報の欠落に伴うギャザ、にじみ等が際だってしまうためである。
【００６５】
そこで、本実施例においては、ファックス等において用いられるランレングス法によって、線画情報を圧縮するようにしている。ランレングス法とは、線画画面を水平方向に走査し、黒、白、赤、青等の各色の情報（点）の継続する長さ、および無情報（ペン入力のない部分）の継続する長さを符号化することにより、線画情報を圧縮する方法である。
【００６６】
このランレングス法を用いることにより、線画情報を効率的に圧縮することができ、また、圧縮された線画情報を伸長した場合においても、情報の欠落を抑制することが可能になる。なお、線画情報の情報量が比較的少ない場合には、それを圧縮しないようにすることもできる。
【００６７】
また、上述したように、ＬＣＤ６上に画像が表示されている場合において、ペン入力を行うと、画像データとペン入力された線画情報がバッファメモリ３７で合成され、画像と線画の合成画像がＬＣＤ６上に表示される。しかしながら、メモリカード２４上においては、画像データは画像記録領域に記録され、線画情報は線画情報記録領域に別々に記録される。このように、２つの情報が、それぞれ異なる領域に記録されるので、ユーザは、画像と線画の合成画像から、いずれか一方だけを削除することができる。また、各画像情報を個別の圧縮方法で圧縮して記録することもできる。
【００６８】
メモリカード２４の音声記録領域、画像記録領域、および線画情報記録領域の少なくともいずれか１つにデータを記録した場合、図５に示すように、記録された情報の一覧を示す所定の一覧表示画面をＬＣＤ６に表示することができる。図５に示すＬＣＤ６の一覧表示画面上においては、情報を記録した時点の年月日（記録年月日）（この場合、１９９５年８月２５日）が画面の下端部に表示され、その記録年月日に記録された情報の記録時刻が画面の最も左側に表示される。
【００６９】
記録時刻の右隣には、画像データが記録されている場合、サムネイル画像が表示される。このサムネイル画像は、メモリカード２４に記録された画像データの各画像データのビットマップデータを間引くことによって作成された縮小画像である。従って、サムネイル画像が表示されている情報は、画像情報を含む情報である。即ち、「１０時１６分」と「１０時２１分」に記録（入力）された情報には、画像情報が含まれており、「１０時０５分」、「１０時２８分」、「１０時５４分」、「１３時１０分」に記録された情報には、画像情報が含まれていない。
【００７０】
また、メモ記号「＊」は、所定のメモが線画情報として記録されていることを表している。
【００７１】
さらに、サムネイル画像の表示領域の右側には、音声情報バーが表示され、音声が録音された時間に対応する所定の長さを有するバー（線）が表示される。音声情報が記録されていない場合、この音声情報バーは表示されない。
【００７２】
ユーザは、図５に示した一覧表示画面上において、所望の情報が表示された矩形領域内を、ペン型指示装置６Ｂのペン先で押圧することにより、再生すべき情報を選択指定し、図２に示した実行キー７Ｂをペン型指示装置６Ｂのペン先で押圧することによって、選択した情報の再生を指示する。これにより、選択された情報が出力される。
【００７３】
例えば、図５に示した画面上において、「１０：０５」が表示されている帯状の領域内がペン型指示装置６Ｂによって押圧されると、ＣＰＵ３４は、選択された録音日時（１０時０５分）に対応する音声を再生するように音声ＩＣ３６に指令する。
【００７４】
音声ＩＣは、ＣＰＵ３４の指令に従って、メモリカード２４から音声データを読み出し、伸張処理を施し、アナログ信号に変換した後、スピーカ５より出力させる。なお、イヤホンジャック９に図示せぬイヤホンが接続されている場合においては、スピーカ５からは音声が出力されず、図示せぬイヤホンより音声が出力される。
【００７５】
メモリカード２４に記録した画像データを再生する場合、ユーザは、所望のサムネイル画像をペン型指示装置６Ｂのペン先で押圧することにより、その情報を選択し、次に、実行キー７Ｂを押すことにより、選択した情報の再生を指示する。
【００７６】
選択されたサムネイル画像に対応する画像データは、メモリカード２４から読み出され、圧縮伸張メモリコントロール回路３８において伸長される。伸張された画像データは、データバス４２を介してバッファメモリ３７に供給され、ビットマップデータとして記憶される。次に、ＣＰＵ３４により、バッファメモリ３７に記憶された画像データに対応する制御信号がＬＣＤ６に供給され、対応する画像が表示される。
【００７７】
このとき、音声データも記録されている場合（例えば、記録時刻が「１０：１６」、「１０：２１」の場合）、上述したようにして、スピーカ５より音声を出力させるようにすることもできる。
【００７８】
次に、メモリカード２４に記録された画像データを再生する方法について説明する。
【００７９】
最初に、図６に示したフローチャートを参照して、音声出力モード（再生モード）を設定する手順について説明する。まず、ステップＳ１において、例えば、ペン型指示装置６Ｂを用いて、メニューキー７Ａに対応するタッチタブレット６Ａの所定の位置を押圧すると、押圧した位置に対応する位置データがタッチタブレット６Ａより、ＣＰＵ３４に供給される。ＣＰＵ３４は、この位置データから、メニューキー７Ａが選択されたことを認識し、ＬＣＤ６を制御し、図７に示すようなメインメニュー画面を表示させる。
【００８０】
メインメニュー画面には、例えば、「日付設定」、「パネル表示」、「音声出力」、「インターフェイス」等の各種設定項目が表示され、そのいずれかを選択することができるようになされている。また、選択された項目は反転表示されて、選択されたことが明示されるようになされている。
【００８１】
次に、ステップＳ２に進み、設定項目「音声出力」をペン型指示装置６Ｂを用いて選択すると、項目「音声出力」が反転表示され、それが選択されたことが明示される。次に、「ＥＸＥＣ］と書かれた実行キー７Ｂをペン型指示装置６Ｂを用いて押圧すると、ＣＰＵ３４の制御により、図８に示すような音声出力設定画面が表示される。
【００８２】
音声出力設定画面においては、設定項目「操作音」、「再生モード」、「音量」を設定することができるようになされている。設定項目「操作音」は、操作スイッチ３５を操作したり、操作キー７をペン型指示装置６Ｂを用いて操作したり、あるいは、タッチタブレット６Ａをペン型指示装置６Ｂを用いて押圧することにより、メニュー画面に表示された項目を選択した場合に、操作音を出力させるか否かを選択し、設定するためのものである。文字列「ｏｎ」と表示された位置をペン型指示装置６Ｂで押圧することにより選択すると、文字列「ｏｎ」が反転表示され、操作音が出力されるように設定される。また、文字列「ｏｆｆ」を選択すると、文字列「ｏｆｆ」が反転表示され、操作音が出力されないように設定される。
【００８３】
設定項目「再生モード」は、図９乃至図１１を参照して後述するように、メモリカード２４に記録されている画像データを再生したときに、その画像データに関連して記録されている音声データの再生方法を設定するためのものである。この場合、再生モードＡに対応する文字「Ａ」と、再生モードＢに対応する文字「Ｂ」が表示され、ペン型指示装置６Ｂなどを用いて選択すると、選択された方の文字が反転表示され、選択されたモードに設定される。
【００８４】
設定項目「音量」は、メモリカード２４に記録された音声データを再生し、対応する音声を出力するときの音量を設定するためのものである。左向きの三角形が表示された位置をペン型指示装置６Ｂなどで押圧すると、その右隣りに表示された数字が１ずつ減少し、右向きの三角形が表示された位置をペン型指示装置６Ｂで押圧することにより選択すると、数字が１ずつ増加する。表示されたこの数字が、設定された音量を示している。
【００８５】
次に、ステップＳ３において、再生モードとして、モードＡまたはモードＢのいずれか一方を選択し、設定する。
【００８６】
ステップＳ４においては、ＣＰＵ３４により、設定された再生モードが再生モードＡまたはＢのいずれであるかが認識され、再生モードＡが設定された場合、所定のモードフラグに値０を設定し、再生モードＢが設定された場合、モードフラグに値１を設定する。その後、処理を終了する。
【００８７】
次に、上記再生モードとして再生モードＡが設定された場合と、再生モードＢが設定された場合における、それぞれの画像および音声の再生方法について、図９乃至図１１のフローチャートを参照して説明する。
【００８８】
まず、図９のステップＳ１１において、図５に示したような一覧表示画面に表示されたサムネイル画像のうち、再生すべき画像に対応するサムネイル画像をペン型指示装置６Ｂで選択する。次に、ステップＳ１２に進み、ＣＰＵ３４の制御下、圧縮伸張メモリコントロール回路３８は、選択された画像に対応する圧縮された画像データをメモリカード２４より読み出し、バッファメモリ３７に一旦供給し、記憶させる。次に、圧縮伸張メモリコントロール回路３８により、バッファメモリ３７に記憶された画像データに対して伸張処理が施され、ＣＰＵ３４により、バッファメモリ３７に記憶された伸張処理が施された画像データに基づいて、ＬＣＤ６が制御され、選択されたサムネイル画像に対応する画像が表示される。
【００８９】
次に、ステップＳ１３において、ＣＰＵ３４により、いま再生された画像データに対応する音声データが記録されているメモリカード２４上の記録領域の最初のアドレスが、「読み出しアドレス」とされる。
【００９０】
次に、ステップＳ１４に進み、図６のステップＳ５またはＳ６において設定されたモードフラグの値が０（再生モードＡ）であるか否かが判定される。モードフラグの値が０であると判定された場合、ステップＳ１５に進み、再生モードＡに対応した画像の再生が行われる。一方、モードフラグの値が０ではない（１である（再生モードＢ））と判定された場合、ステップＳ１６に進み、再生モードＢに対応した画像の再生が行われる。ステップＳ１５またはステップＳ１６における再生処理が終了すると、処理を終了する。
【００９１】
次に、図１０に示したフローチャートを参照して、再生モードＡに対応する画像再生処理の手順について説明する。
【００９２】
最初、ステップＳ２１において、ＣＰＵ３４は、所定の画像表示カウンタに値１をセットする。この画像表示カウンタは、所定の画像が表示され、その画像に対応する音声が出力されている間に、他の画像の表示が選択された回数に対応する。
【００９３】
次に、ステップＳ２２に進み、音声ＩＣ３６は、図９のステップＳ１３において設定された、メモリカード２４上の「読み出しアドレス」から音声データを読み出す。次に、ステップＳ２３において、読み出した音声データに対して伸張処理を施した後、アナログの音声信号に変換し、対応する音声をスピーカ５より出力させる。また、イヤホンジャック９に図示せぬイヤホンが接続されている場合には、イヤホンより音声を出力させる。
【００９４】
ステップＳ２４においては、ＣＰＵ３４により、他の画像への表示切替が指示されたか否かが判定される。他の画像への表示切替が指示されていないと判定された場合、ステップＳ２８に進む。一方、ペン型指示装置６Ｂにより、スクロールキー７Ｅが操作されるなどして、次の画像の表示が指示されたと判定された場合、ステップＳ２５に進み、ＣＰＵ３４は、圧縮伸張メモリコントロール回路３８に対して、次の画像を表示するよう指令する。
【００９５】
圧縮伸張メモリコントロール回路３８は、ＣＰＵ３４からの指令に従って、メモリカード２４より、次の画像に対応する画像データを読み出し、バッファメモリ３７に供給し、記憶させる。次に、圧縮伸張メモリコントロール回路３８は、バッファメモリ３７に記憶された画像データに対して伸張処理を施す。ＣＰＵ３４は、伸張処理が施された画像データに基づいて、ＬＣＤ６を制御し、対応する画像を表示させる。
【００９６】
次に、ステップＳ２６に進み、ＬＣＤ６に表示された画像に対応づけられている、画像を識別するための所定の画像ＩＤを例えばバッファメモリ３７に記憶させる。次に、ステップＳ２７において、画像表示カウンタの値を１だけインクリメントする。
【００９７】
ステップＳ２８においては、いま出力されている、所定の画像に関連した音声の出力が終了したか否かが判定される。いま出力されている、所定の画像に関連した音声の出力がまだ終了していないと判定された場合、ステップＳ２４に戻り、ステップＳ２４乃至Ｓ２８の処理が繰り返し実行される。一方、いま出力されている、所定の画像に関連した音声の出力が終了したと判定された場合、ステップＳ２９に進む。
【００９８】
ステップＳ２９においては、画像表示カウンタの値を１だけデクリメントする。次に、ステップＳ３０において、画像表示カウンタの値が０より大きいか否かが判定される。画像表示カウンタの値が０より大きい、即ち、まだ再生し、出力すべき音声データがあると判定された場合、ステップＳ３１に進む。
【００９９】
ステップＳ３１においては、ＣＰＵ３４は、先にバッファメモリ３７に記憶させた画像ＩＤを、記憶させた順に１つだけ読み出し、その画像ＩＤに対応する音声データが記録されているメモリカード２４上の記録領域の最初のアドレスを「読み出しアドレス」とする。次に、ステップＳ３２に進み、読み出した画像ＩＤをバッファメモリ３７より消去する。
【０１００】
その後、ステップＳ３１において設定されたメモリカード２４の「読み出しアドレス」から音声データが読み出され、対応する音声がスピーカ５またはイヤホンジャック９に接続されたイヤホンより出力される。そして、ステップＳ２８に戻り、上述した場合と同様の処理が実行される。
【０１０１】
一方、ステップＳ３０において、画像表示カウンタの値が０と等しいと判定された場合、処理を終了し、リターンする。
【０１０２】
次に、図１１のフローチャートを参照して、図９のステップＳ１６における、再生モードＢに対応する画像の再生方法について説明する。
【０１０３】
最初、ステップＳ４１において、音声ＩＣ３６は、図９のステップＳ１３において設定されたメモリカード２４上の記録領域の「読み出しアドレス」から、音声データを読み出す。そして、ステップＳ４２に進み、読み出した音声データを伸張し、アナログの音声信号に変換した後、対応する音声をスピーカ５またはイヤホンジャック９に接続されたイヤホンより出力させる。
【０１０４】
次に、ステップＳ４３において、ＣＰＵ３４により、いま、ＬＣＤ６に表示中の画像に対応する音声の出力を終了したか否かが判定される。ＬＣＤ６に表示中の画像に対応する音声の出力を終了していないと判定された場合、ステップＳ４４に進み、ＣＰＵ３４により、他の画像への表示切替が指示されたか否かが判定される。他の画像への表示切替が指示されていないと判定された場合、ステップ４２に戻り、ステップＳ４２乃至Ｓ４４の処理が、ステップＳ４３において、音声の出力を終了したと判定されるまで繰り返し実行される。
【０１０５】
一方、ステップＳ４４において、ＣＰＵ３４により、例えば、ペン型指示装置６Ｂにより、スクロールキー７Ｅが操作され、他の画像への表示切替が指示されたと判定された場合、ステップＳ４５に進む。
【０１０６】
ステップＳ４５においては、ＣＰＵ３４は、圧縮伸張メモリコントロール回路３８に対して、指示された画像を表示するように指令する。圧縮伸張メモリコントロール回路３８は、ＣＰＵ３４の指令に基づいて、メモリカード２４より他の画像に対応する画像データを読み出し、バッファメモリ３７に転送する。次に、バッファメモリ３７に転送した画像データに対して伸張処理を施す。ＣＰＵ３４は、バッファメモリ３７に記憶された伸張された画像データに基づいて、ＬＣＤ６を制御し、対応する他の画像を表示させる。
【０１０７】
次に、ステップＳ４６に進み、いまＬＣＤ６に表示されている画像に対応する音声データが記録されている、メモリカード２４上における記録領域の「最初のアドレスを「読み出しアドレス」とする。次に、ステップＳ４１に戻り、ステップＳ４１乃至Ｓ４６の処理を繰り返し実行する。
【０１０８】
一方、ステップＳ４３において、ＬＣＤ６に表示中の画像に対応する音声の出力を終了したと判定された場合、処理を終了し、リターンする。
【０１０９】
以上のようにして、再生モードＡが設定された場合においては、図１０のフローチャートを参照して上述したように、ＬＣＤ６に表示中の画像に対応する音声の再生中に、他の画像の再生が指示され、ＬＣＤ６に他の画像が表示された場合においても、いま再生中の音声がそのまま再生され、その音声の再生が終了したとき、他の画像に対応する音声の再生が開始されるようにすることができる。
【０１１０】
この再生モードＡにおいては、表示画像の切替えによって、音声の再生が中断されることがないので、音声を聞き漏らすことがない。
【０１１１】
また、再生モードＢが設定された場合においては、図１１のフローチャートを参照して上述したように、ＬＣＤ６に表示中の画像に対応する音声の再生中に、他の画像の再生が指示され、ＬＣＤ６に他の画像が表示されたとき、いままで表示されていた画像に対応する音声の再生が中断され、新たにＬＣＤ６に表示された他の画像に対応する音声の再生が開始されるようにすることができる。
【０１１２】
この再生モードＢにおいては、表示画像の切替えにより、切り替えられた画像に対応する音声が即座に再生されるので、例えば、所望の画像を検索するのに適している。
【０１１３】
以上のようにして、ユーザの好みや用途に応じて、再生モードを選択し、設定することができる。
【０１１４】
また、上記実施例において、所定の画像に関連する音声を再生中に、他の画像が選択された場合、選択された他の画像をすぐに表示させることなく、再生中の音声の出力が終了してから、他の画像を表示させるようにすることもできる。これにより、画像と音声とを常に関連づけることができる。また、音声の出力が終了すると同時に、次の画像を表示させるとともに、それに関連する音声を出力させるようにすることができる。
【０１１５】
なお、上記実施例においては、マイクロホンを１つだけ設けるようにしたが、マイクロホンを左右に２つ設けるようにし、音声をステレオで記録するようにすることも可能である。
【０１１６】
また、上記実施例においては、ペン型指示装置を用いて各種情報を入力するようにしたが、指を用いて入力するようにすることも可能である。
【０１１７】
さらに、ＬＣＤ６に表示された各画面は一例であって、これに限定されるものではなく、様々なレイアウトの画面を用いるようにすることが可能である。同様に、操作キーの種類やレイアウトも一例であって、これに限定されるものではない。
【０１１８】
【発明の効果】
請求項１に記載の情報入力装置によれば、所定の画像に対応する音声を再生中に、他の画像が選択されたとき、所定の画像に対応する音声の再生が継続されるようにしたので、表示された画像に対応する音声を全て再生することができ、音声を聞き漏らすことを抑制することができる。
【０１１９】
請求項４に記載の情報入力装置によれば、第１のモードが選択された場合、所定の画像に対応する所定の音声を再生中に他の画像が選択されたときでも、所定の画像に対応する音声の再生を継続し、第２のモードが選択された場合、所定の画像に対応する所定の音声を再生中に他の画像が選択されたとき、所定の画像に対応する音声の再生を中断するようにしたので、ユーザの好みや用途に応じて、音声の再生方法を変更することができる。
【図面の簡単な説明】
【図１】本発明を適用した電子カメラの一実施例を正面の側から見た斜視図である。
【図２】電子カメラ１を背面の側から見た斜視図である。
【図３】電子カメラ１の内部の構成例を示す図である。
【図４】電子カメラ１の内部の電気的構成例を示すブロック図である。
【図５】電子カメラ１のＬＣＤ６に表示される表示画面例を示す図である。
【図６】音声の再生モードを設定する手順を示すフローチャートである。
【図７】メインメニュー画面の例を示す図である。
【図８】音声出力設定画面の例を示す図である。
【図９】画像が再生されるときの手順を示すフローチャートである。
【図１０】再生モードＡが設定されているときの画像再生処理の手順を示すフローチャートである。
【図１１】再生モードＢが設定されているときの画像再生処理の手順を示すフローチャートである。
【符号の説明】
１  電子カメラ
２  ファインダ
３  撮影レンズ（撮像手段）
４  発光部（照明手段）
５  スピーカ（音声出力手段）
６  ＬＣＤ（表示手段）
６Ａ  タッチタブレット（選択手段、モード選択手段）
６Ｂ  ペン型指示装置（ペン）（選択手段、モード選択手段）
７  操作キー
７Ａ  メニューキー
７Ｂ  実行キー
７Ｃ  クリアキー
７Ｄ  キャンセルキー
７Ｅ  スクロールキー
８  マイクロホン（音声入力手段）
９  イヤホンジャック（音声出力手段）
１０  レリーズスイッチ
１１  電源スイッチ
１２  録音スイッチ
１３  連写モード切り換えスイッチ
２０  ＣＣＤ（撮像手段）
２１  バッテリ
２２  コンデンサ
２３  回路基板
２４  メモリカード（記録手段）
３１  相関二重サンプリング回路（ＣＤＳ）
３２  アナログ／ディジタル変換回路（Ａ／Ｄ）
３３  ディジタルシグナルプロセッサ（ＤＳＰ）
３４  ＣＰＵ（制御手段）
３５  操作スイッチ（ＳＷ）
３６  音声ＩＣ（音声再生手段）
３７  バッファメモリ
３８  圧縮伸張メモリコントロール回路（画像再生手段）
３９  ＶＤＲＶ（ＣＣＤ駆動回路）
４０  ＡＧＣ（自動利得制御回路）
４１  ＣＰＵ制御バス
４２  データバス
【図１】
0003584265.tif 000002
【図２】
0003584265.tif 000003
【図３】
0003584265.tif 000004
【図４】
0003584265.tif 000005
【図５】
0003584265.tif 000006
【図６】
0003584265.tif 000007
【図７】
0003584265.tif 000008
【図８】
0003584265.tif 000009
【図９】
0003584265.tif 000010
【図１０】
0003584265.tif 000011
【図１１】
0003584265.tif 000012